(57)【要約】      （修正有） 【課題】放熱効果と低騒音がバランスよく得られる低騒音のファン回転速度制御手段を提供する。【解決手段】ビデオカード本体と、該ビデオカード本体上に設けられ、環境温度を検知して第１温度データを生成するために供する温度検知手段２と、該ビデオカード本体上の該温度検知手段の一方の側に設ける放熱手段３と、該ビデオカード本体上に設けられて、該温度検知手段と該放熱手段とに電気的に接続する制御手段４と、該制御手段内に設けられ、第２温度データの設定に供し、かつ該第１温度データと該第２温度データとに基づいて温度差データを生成する計算ユニット５と、該制御手段に電気的に接続し、該温度差データを対比して回転速度データをピックアップして該制御手段が該放熱手段の最低限回転速度を調整するために供するための回転速度データベース６と、を含む。【選択図】図２
0003214947.tif 000002
【実用新案登録請求の範囲】
【請求項１】
ビデオカード本体と、
該ビデオカード本体上に設けられ、環境温度を検知して第１温度データを生成するために供する温度検知手段と、
該ビデオカード本体上の該温度検知手段の一方の側に設ける放熱手段と、
該ビデオカード本体上に設けられて、該温度検知手段と該放熱手段とに電気的に接続する制御手段と、
該制御手段内に設けられ、第２温度データの設定に供し、かつ該第１温度データと該第２温度データとに基づいて温度差データを生成する計算ユニットと、
該制御手段に電気的に接続し、該温度差データを対比して回転速度データをピックアップして該制御手段が該放熱手段の最低限回転速度を調整するために供するための回転速度データベースと、を含むことを特徴とする  低騒音のファン回転速度制御手段。
【請求項２】
前記制御手段が、該回転速度データベースの温度差・回転速度対照表の保存に供するメモリモジュールを含むことを特徴とする請求項１に記載の低騒音のファン回転速度制御手段。
【請求項３】
前記回転速度データが経時的に変化する回転速度曲線であることを特徴とする請求項１に記載の低騒音のファン回転速度制御手段。
【請求項４】
前記制御手段が該放熱手段の回転速度を制御して該温度差データの温度差値を縮小することを特徴とする請求項１に記載の低騒音のファン回転速度制御手段。
【請求項５】
前記温度差値がゼロに近くなることを特徴とする請求項４に記載の低騒音のファン回転速度制御手段。
【請求項６】
前記制御手段がＭＣＵ（Ｍｉｃｒｏ Ｃｏｎｔｒｏｌｌｅｒ Ｕｎｉｔ）であることを特徴とする請求項１に記載の低騒音のファン回転速度制御手段。
【請求項７】
前記制御手段が制御プログラムであることを特徴とする請求項１に記載の低騒音のファン回転速度制御手段。
【考案の詳細な説明】
【技術分野】
【０００１】
この考案は放熱ファンに関し、特に限定的にファンを制御して、最低限回転速度でビデオカードに対して放熱を行ない、ビデオカードが設定された温度条件での作動を維持するようにして、ファンの騒音を低減した低騒音のファン回転速度制御手段に関する。
【背景技術】
【０００２】
従来のビデオカードのＧＰＵファンは、ＧＰＵの温度に基づき、これに対応して放熱ファンの回転速度を制御する。検知したＧＰＵの温度が高すぎると、これに対応して放熱ファンの回転速度を高めて放熱の効率を高め、ＧＰＵの温度を低下させてビデオカードの正常な作動を維持する。
【０００３】
然しながら、放熱ファンの回転速度を高めると、放熱ファンから発生する騒音も相対的に増加し、ユーザーにとって使用上の難点となる。ビデオカードの製造業者は、放熱ファンの騒音と回転比率について規定を設けている。例えば２０００ＲＰＮ／２７ｄｂ、３５００ＲＰＮ／３７ｄｂなどであって、これらを以て放熱ファンの回転速度が高すぎて過大な騒音を招くことを防いでいる。但し、それでもユーザーは騒音に苦しめられている。
【０００４】
よって、ビデオカードの放熱ファンを作動させて放熱する場合、如何にして発生する音をユーザーのニーズに適合させるか、がビデオカード製造業者の積極的に解決せんとする問題となっている。然しながら、目下の放熱ファンの制御方法には、次に掲げる欠点が確かに存在し、問題となっていて改善が待たれる。
【０００５】
１、ファンの回転速度を上げて放熱興亜を高めると、同時に騒音のデシベルも上がる。
【０００６】
２、単にファンの回転速度を制御するだけでは、騒音は抑えられても放熱効果が犠牲となる。
【０００７】
３、複数のファンを設けるか、もしくは特殊な設計のファンを設けて放熱を行なえば、製造コストの上昇を招く。
【０００８】
４、温度が高くなりすぎてから起動するか回転速度を上げ、温度が低くなると回転を止めるか回転速度を下げる方式は、却ってファンのオン、オフ間の消費電力を増やすことになり、かつ安定したファンの回転速度の制御が得られない。
【考案の概要】
【考案が解決しようとする課題】
【０００９】
この考案は、放熱効果と低騒音がバランスよく得られる低騒音のファン回転速度制御手段を提供することを課題とする。
【００１０】
また、この考案は、最適の回転速度値の得られる低騒音のファン回転速度制御手段を提供することを課題とする。
【課題を解決するための手段】
【００１１】
上述する課題を解決するために、検知したデータに基づき最低限のパワーを設定するメカニズムによって単一、もしくは複数のファンを起動し、放熱効果と低騒音がバランスよく得る。
【００１２】
また、設定温度と検知した温度との温度差に基づき、データベースから最適の回転数値を得る。
【００１３】
具体的には、この考案は、ビデオカード本体と、該ビデオカード本体上に設けられ、環境温度を検知して第１温度データを生成するために供する温度検知手段と、該ビデオカード本体上の該温度検知手段の一方の側に設ける放熱手段と、該ビデオカード本体上に設けられて、該温度検知手段と該放熱手段とに電気的に接続する制御手段と、該制御手段内に設けられ、第２温度データの設定に供し、かつ該第１温度データと該第２温度データとに基づいて温度差データを生成する計算ユニットと、該制御手段に電気的に接続し、該温度差データを対比して回転速度データをピックアップして該制御手段が該放熱手段の最低限回転速度を調整するために供するための回転速度データベースと、を含む。この考案実際に実施する場合、予め制御手段の計算ユニットを利用して第２温度データを設定して熱源温度の臨界値とする。次いで温度検知手段によって実際の温度（第１温度データ）を検知して、計算ユニットが温度差を計算し。回転速度データベースを参照して、制御手段が回転速度データに基づいて放熱手段を制御する。よって、放熱手段は実際の温度が設定された温度に近くなり、最低限の消費電力での安定した作動が得られ、騒音のデシベルを抑制し、同時にビデオカード本体が過熱しない状態を確保することができる。
【図面の簡単な説明】
【００１４】
【図１】この考案の実施の形態の斜視図である。
【図２】この考案の実施の形態を分解した状態を示した説明図である。
【図３】この考案の実施の形態の構造を示したブロック図である。
【図４】この考案の実施の形態の回転速度の関係を示したグラフである。
【図５】この考案の実施の形態の温度の関係を示したグラフである。
【考案を実施するための形態】
【実施例】
【００１５】
図１から図３に開示するように、ビデオカード本体１と、少なくとも１以上の温度検知手段２と、放熱手段３と、制御手段４と、計算ユニット５と、回転速度データベース６とを含んでなる。
【００１６】
温度検知手段２は、ビデオカード本体１上に設けられて、環境温度を検知して第１温度データ２１を生成するために供する。
【００１７】
放熱手段３は、ビデオカード本体１上の温度検知手段２の一方の側に設ける。
【００１８】
制御手段４は、ビデオカード本体１上に設けられて、温度検知手段２と放熱手段３とに電気的に接続する。制御手段４はＭＣＵ（Ｍｉｃｒｏ Ｃｏｎｔｒｏｌｌｅｒ Ｕｎｉｔ）か、もしくは制御プログラムであって、かつ制御手段４は、後述する回転速度データベース６の温度差・回転速度対照表の保存に供するメモリモジュール４１を含む。
【００１９】
計算ユニット５は制御手段４内に設けられ、第２温度データ５１の設定に供し、第１温度データ２１と第２温度データ５１とによって温度差データ５２を生成する。
【００２０】
回転速度データベース６は制御手段４に電気的に接続し、温度差データ５２を対比して回転速度データ６１をピックアップし、制御手段４が放熱手段３の最低限回転速度を調整するために供する。回転速度データベース６１は経時的に変化する回転速度曲線である。
【００２１】
以上の説明から、この考案の技術上の構造は明らかに理解できるものと思料する。係る構造に基づき、これに対応、マッチさせて限定的にフォンの回転を制御し、最低限回転速度によってビデオカードの放熱を行ない、ビデオカードの設定された温度条件での作動を維持する。ここからファンの騒音に有利となる。詳細な解説を以下に述べる。
【００２２】
図１から図５に、この考案の構造上の主要な部材である制御手段４、計算ユニット５、回転速度データベース６などを利用して、かつ温度差値によって最低限消費電力を定めるフォンの起動メカニズムを構成する。このためビデオカード本体１の温度がユーザーの設定する臨界温度（第２温度データ５１）に最も近くなり、かつこれを超えない、よって、上述する本考案の進歩性が達成される。
【００２３】
実際に使用する場合、ユーザーは制御手段４の計算ユニット５を利用して第２温度データ５１を設定してビデオカード本体１の正常な作動に係る、予め設定された熱源温度の臨界値とする。次いでビデオカード本体１が作動する過程において、温度検知手段２によって環境温度を検知して第１温度データ２１を生成し、かつ生成された第１温度データ２１を制御手段４の計算ユニット５に伝送し、計算ユニット５が第１温度データ２１と第２温度データ５１との温度差を計算し。温度差データ５２を生成する。次に、制御手段４は、メモリモジュール４１を介して回転速度データベース６内の温度差・回転速度対照表にアクセスし、温度差データ５２に基づいて回転速度データ６１をピックアップし、制御手段４が最低限消費電力に適合する回転速度データ６１に基づいて放熱手段３を制御する。
【００２４】
回転速度データ６１は実験と測定を経て計算された回転速度曲線であって、経時的に回転数値が変化するのみならず、該回転速度値は第２温度データ５１に直接関連するパラメータとなる。ビデオカード本体１が絶え間なく発熱する状況下で放熱手段３は該回転度速度値にしたがって作動し、ビデオカード本体１は温度が第２温度データ５１に近づく。言い換えれば、制御手段４によって放熱手段３の回転速度を制御することは、温度差データ５２の温度差縮小することになり、甚だしくは温度差がゼロに近づく。このためビデオカード本体１はユーザーが最初に設定した熱源温度の予め設定された臨界値（第２温度データ５１）を維持することができる。
【００２５】
また、この考案の放熱手段３は、従来のファンの回転速度と比較してみると（図４に開示するこの考案の曲線）、この考案の放熱手段３は上述する条件下での回転速度の制限によって高速回転方式でビデオカード本体１の温度を急降下させることはできないものの、最低限の回転速度と最低限の騒音による最も効率的な回転曲線で作動し（第１温度データ２１が一定値より大きい場合に放熱手段３を起動し、放熱の時間が長くなるにつれて温度差値が徐々に低くなり、同時に回転速度が徐々に低減する）、ビデオカード本体１の温度を安定して低下させることができる（図５に開示するこの考案の曲線参照）。これに反して、従来の温度検知手段を具える放熱ファンの動作のモードは、過熱状態時に高速回転し、温度が降下してから作動を中止する。このため、ファンの回転速度が急に大きくなり、急に小さくなる。よって温度の変化の変動の度合いが高くなり、毎回ファンは静止状態から起動し、極めて大きな騒音を発生させる（図５に開示する従来の技術の曲線参照）。ユーザーは、ビデオカード本体１の温度が設定した温度（第２温度データ５１）を超えない状況下で、放熱手段３の回転速度を最低限に低減させ、ファンの騒音を低減させるという目的を達成することができる。
【符号の説明】
【００２６】
１        ビデオカード本体
２        温度検知手段
２１      第１温度データ
３        放熱手段
４        制御手段
４１      メモリモジュール
５        計算ユニット
５１      第２温度データ
５２      温度差データ
６        回転速度データベース
６１      回転速度データ
【図１】
0003214947.tif 000003
【図２】
0003214947.tif 000004
【図３】
0003214947.tif 000005
【図４】
0003214947.tif 000006
【図５】
0003214947.tif 000007